(57)【要約】  冷蔵庫は、前面が開口し、内部の食品を貯蔵する貯蔵室と、前面に開閉自在に設けられた貯蔵室扉と、貯蔵室扉の貯蔵室側の面に設けられ、食品を収納するドアポケットと、貯蔵室内の天井面に下方に突出するように設けられ、貯蔵室内に発光源から光を照射する照明装置とを備え、照明装置は、天井面の前後方向において、ドアポケットと重なる位置であり、天井面の左右方向において、ドアポケットの開閉軌跡に重ならない位置に配置されている。
2020196467.tif 000002
【特許請求の範囲】
【請求項１】
前面が開口し、内部の食品を貯蔵する貯蔵室と、
前記前面に開閉自在に設けられた貯蔵室扉と、
前記貯蔵室扉の前記貯蔵室側の面に設けられ、前記食品を収納するドアポケットと、
前記貯蔵室内の天井面に下方に突出するように設けられ、前記貯蔵室内に発光源から光を照射する照明装置と
を備え、
前記照明装置は、
前記天井面の前後方向において、前記ドアポケットと重なる位置であり、
前記天井面の左右方向において、前記ドアポケットの開閉軌跡に重ならない位置に配置されている
冷蔵庫。
【請求項２】
前記貯蔵室内に設けられ、前記食品を収納する収納棚をさらに備え、
前記照明装置は、
前記収納棚に収納された前記食品に対して光を照射するように前記発光源の光軸が設定されている
請求項１に記載の冷蔵庫。
【請求項３】
前記照明装置は、
前記貯蔵室の左右方向を示す軸回りに、前記発光源の光軸が上下方向に対して傾斜するように配置される
請求項１または２に記載の冷蔵庫。
【請求項４】
前記照明装置は、
前記貯蔵室の上下方向を示す軸回りに、前記発光源の光軸が前後方向に対して傾斜するように配置される
請求項１〜３のいずれか一項に記載の冷蔵庫。
【請求項５】
前記照明装置は、
前記貯蔵室の前後方向を示す軸回りに、前記発光源の光軸が左右方向に対して傾斜するように配置される
請求項１〜４のいずれか一項に記載の冷蔵庫。
【請求項６】
前記貯蔵室扉は、
観音開き式扉であり、
前記観音開き式扉を構成する一対の扉の一方に、前記観音開き式扉を閉めた際に形成される前記一対の扉の間の隙間を閉塞する回転仕切体が設けられ、
前記貯蔵室は、
前記回転仕切体の回転方向を誘導するガイドピンが設けられ、
前記照明装置は、
前記ガイドピンの冷蔵庫背面側に配置されている
請求項１〜５のいずれか一項に記載の冷蔵庫。
【請求項７】
前記ガイドピンは、
冷蔵庫背面側を形成する背面部の高さが前記照明装置の高さよりも高く形成されている
請求項６に記載の冷蔵庫。
【請求項８】
前記背面部は、
前後方向において、前記照明装置の一部と重なるように冷蔵庫背面側に延びて形成されている
請求項７に記載の冷蔵庫。
【請求項９】
前記照明装置と前記ガイドピンとが一体的に形成されている
請求項６〜８のいずれか一項に記載の冷蔵庫。
【請求項１０】
前記貯蔵室内に設けられ、前記食品を収納する収納棚をさらに備え、
前記照明装置は、
前記天井面の前後方向において、前記収納棚に重なる位置を含む位置に配置されている
請求項１〜９のいずれか一項に記載の冷蔵庫。
【請求項１１】
前記照明装置は、
前記天井面の前後方向において前記収納棚に重なる部分の少なくとも一部が前記天井面に埋め込まれている
請求項１０に記載の冷蔵庫。
【請求項１２】
前記照明装置は、
前記天井面に代えて、前記貯蔵室内の床面に配置される
請求項１〜５のいずれか一項に記載の冷蔵庫。
【請求項１３】
前記貯蔵室扉は、
観音開き式扉であり、
前記観音開き式扉を構成する一対の扉の一方に、前記観音開き式扉を閉めた際に形成される前記一対の扉の間の隙間を閉塞する回転仕切体が設けられ、
前記貯蔵室は、
前記回転仕切体の回転方向を誘導するガイドピンが前記床面に設けられ、
前記照明装置は、
前記ガイドピンの冷蔵庫背面側に配置されている
請求項１２に記載の冷蔵庫。
【請求項１４】
前記ガイドピンは、
冷蔵庫背面側を形成する背面部の高さが前記照明装置の高さよりも高く形成されている
請求項１３に記載の冷蔵庫。
【請求項１５】
前記背面部は、
前後方向において、前記照明装置の一部と重なるように冷蔵庫背面側に延びて形成されている
請求項１４に記載の冷蔵庫。
【請求項１６】
前記貯蔵室内に設けられ、前記食品を収納する収納棚をさらに備え、
前記照明装置は、
前記床面に、上方に突出するように設けられ、
前記床面の前後方向において、前記収納棚に重なる位置を含む位置に配置されている
請求項１２〜１５のいずれか一項に記載の冷蔵庫。
【請求項１７】
前記照明装置は、
前記床面の前後方向において前記収納棚に重なる部分が前記床面に埋め込まれている
請求項１６に記載の冷蔵庫。
【発明の詳細な説明】
【技術分野】
【０００１】
本発明は、庫内を照らす照明装置を備えた冷蔵庫に関する。
【背景技術】
【０００２】
従来、冷蔵庫には、庫内を明るく照らすための照明装置が配置されている。冷蔵庫のヒンジ式の扉を開けることにより、冷蔵庫に取り付けられたドアスイッチが反応すると、ドアスイッチによって切り換えられる電気信号が、冷蔵庫を制御する制御基板に供給される。そして、制御基板から照明装置に対して照明を点灯する命令が送信されることにより、照明装置が点灯する。このような照明装置では、主に、ＬＥＤ（Ｌｉｇｈｔ  Ｅｍｉｔｔｉｎｇ  Ｄｉｏｄｅ）が発光源として用いられる。【０００３】
このような冷蔵庫では、照明装置の配置場所および配置方法について、様々な配置場所および配置方法が提案されている。例えば、特許文献１には、天井壁面の、庫内の収納棚よりも前方に設けられた凹部に照明装置を設け、収納棚および庫内の奥壁面に向けて光を照射する冷蔵庫が開示されている。【０００４】
また、特許文献２には、側壁面の、庫内の収納棚よりも前方に設けられた凹部に照明装置を設け、収納棚および庫内の奥壁面に向けて光を照射する冷蔵庫が開示されている。さらに、特許文献３には、天井壁面および側壁面における庫内の収納棚よりも前方に、突出するとともに正面視左右方向に延設された傾斜部に照明装置を設け、収納棚および庫内の奥壁面に向けて光を照射する冷蔵庫が開示されている。
【先行技術文献】
【特許文献】
【０００５】
【特許文献１】特開２００８−０３９３５５号公報
【特許文献２】特許第４０５５８０３号公報
【特許文献３】特開２０１２−２２０１３４号公報
【発明の概要】
【発明が解決しようとする課題】
【０００６】
しかしながら、特許文献１および２に記載の冷蔵庫のように、照明装置を庫内の壁面に設けられた凹部に配置した場合、冷蔵庫の筐体に設けられたウレタンおよび真空断熱材等の断熱部材を照明装置の分だけ減らす必要があるため、断熱性能が悪化してしまう。【０００７】
また、冷蔵庫の扉には、食品を収納するドアポケットが設けられているが、特許文献３に記載の冷蔵庫のように、照明装置を天井壁面等に延設した場合、庫内の視認性を向上させることができるが、ドアポケットおよびドアポケットに収納される食品と、照明装置とが接触する虞がある。そのため、ドアポケットに収納される食品の大きさが制限されてしまう。この場合、ドアポケットに収納される食品が制限されないように、ドアポケットの大きさおよび配置位置等の仕様を変更することも考えられる。しかしながら、ドアポケットは、ユーザからの要求に基づいて予め決められた大きさの食品が収納できるようになっているため、ドアポケットの仕様を変更することは、非常に困難である。【０００８】
すなわち、特許文献３に記載の冷蔵庫では、断熱性能の悪化を抑制するとともに、庫内の視認性を向上させることができるが、ドアポケットに収納される食品が制限されてしまう。【０００９】
本発明は、上記従来の技術における課題に鑑みてなされたものであって、断熱性能の低下を抑制しつつ、収納される食品に対する制限および収納量の低下を抑制することができる冷蔵庫を提供することを目的とする。
【課題を解決するための手段】
【００１０】
本発明の冷蔵庫は、前面が開口し、内部の食品を貯蔵する貯蔵室と、前記前面に開閉自在に設けられた貯蔵室扉と、前記貯蔵室扉の前記貯蔵室側の面に設けられ、前記食品を収納するドアポケットと、前記貯蔵室内の天井面に下方に突出するように設けられ、前記貯蔵室内に発光源から光を照射する照明装置とを備え、前記照明装置は、前記天井面の前後方向において、前記ドアポケットと重なる位置であり、前記天井面の左右方向において、前記ドアポケットの開閉軌跡に重ならない位置に配置されているものである。
【発明の効果】
【００１１】
以上のように、本発明によれば、照明装置が貯蔵室内の天井面に下方に突出するように設けられるとともに、前後方向においてドアポケットと重なり、左右方向においてドアポケットの開閉軌跡に重ならない位置に配置される。これにより、貯蔵室扉を開閉した場合でもドアポケットおよびドアポケットに収納された食品に接触しない位置に照明装置が配置されるため、断熱性能の低下を抑制しつつ、収納される食品に対する制限および収納量の低下を抑制することができる。
【図面の簡単な説明】
【００１２】
【図１】実施の形態１に係る冷蔵庫の一例を示す外観図である。
【図２】図１に示す線分Ａ−Ａを矢印方向から見た場合の冷蔵庫の内部構造図である。
【図３】図２の制御基板の構成の一例を示す機能ブロック図である。
【図４】実施の形態１に係る照明装置と冷蔵室の天井壁面との関係の一例を示す概略図である。
【図５】実施の形態１に係る照明装置と冷蔵室の天井壁面との関係の他の例を示す概略図である。
【図６】照明装置と冷蔵室の天井壁面との関係の第１の比較例を示す概略図である。
【図７】照明装置と冷蔵室の天井壁面との関係の第２の比較例を示す概略図である。
【図８】照明装置が収納棚の上部に設けられた場合の、照明装置による光の照射について説明するための概略図である。
【図９】照明装置が収納棚よりも前面側に設けられた場合の、照明装置による光の照射について説明するための概略図である。
【図１０】上面から見て照明装置がドアポケットに重なる位置に設けられた場合の、図２の冷蔵室を上面から見た場合の内部構造図である。
【図１１】上面から見て照明装置がドアポケットに重ならない位置に設けられた場合の、図２の冷蔵室を上面から見た場合の内部構造図である。
【図１２】照明装置におけるＬＥＤの光軸のｘ軸回りの傾斜角度について説明するための概略図である。
【図１３】照明装置におけるＬＥＤの光軸のｚ軸回りの傾斜角度について説明するための概略図である。
【図１４】照明装置におけるＬＥＤの光軸のｙ軸回りの傾斜角度について説明するための概略図である。
【図１５】実施の形態２に係る冷蔵庫を側面側から見た場合の冷蔵室の内部構造図である。
【図１６】図１５の照明装置およびガイドピンの一例を示す概略図である。
【図１７】図１５の照明装置およびガイドピンの他の例を示す概略図である。
【図１８】図１６のガイドピンの他の例を示す概略図である。
【図１９】図１７のガイドピンの他の例を示す概略図である。
【図２０】片開き式扉が設けられた冷蔵室を上面から見た場合の内部構造図である。
【図２１】片開き式扉が設けられた冷蔵室の他の例を上面から見た場合の内部構造図である。
【図２２】片開き式扉が設けられた冷蔵室のさらに他の例を上面から見た場合の内部構造図である。
【図２３】冷蔵室を上面から見た場合の一例を示す内部構造図である。
【図２４】図２３の照明装置と収納棚との配置関係について説明するための第１の例を示す概略図である。
【図２５】図２３の照明装置と収納棚との配置関係について説明するための第２の例を示す概略図である。
【図２６】図２３の照明装置と収納棚との配置関係について説明するための第３の例を示す概略図である。
【図２７】照明装置の一例を示す概略図である。
【図２８】照明装置の明るさについて説明するための概略図である。
【図２９】点灯制御信号のデューティ比と照度との関係の一例を示すグラフである。
【図３０】デューティ比が５０％である場合の点灯制御信号の一例を示すグラフである。
【図３１】デューティ比が７５％である場合の点灯制御信号の一例を示すグラフである。
【発明を実施するための形態】
【００１３】
以下、本実施の形態について説明する。なお、以下の説明に用いられる図面では、各構成要素についての大きさの関係が実際のものとは異なる場合がある。また、明細書全文に表わされている構成要素の形態は、あくまでも例示であって、これらの記載に限定されるものではない。
【００１４】
実施の形態１．
本実施の形態１に係る冷蔵庫について説明する。本実施の形態１に係る冷蔵庫は、庫内を照らすことができる照明装置を備えたものである。
【００１５】
［冷蔵庫１００の構成］
図１は、本実施の形態１に係る冷蔵庫１００の一例を示す外観図である。なお、以下の説明において、右側および左側は、冷蔵庫１００の前面側から背面側に向かう方向（前後方向）を正面としたときの方向を示す。すなわち、右側は、図１の紙面の右側に対応し、左側は、図１の紙面の左側に対応するものとする。また、以下では、左側から右側へ向かう方向（左右方向）をｘ方向とし、前面側から背面側へ向かう方向（前後方向）をｙ方向とし、上面側から下面側へ向かう方向（上下方向）をｚ方向として説明する。
【００１６】
図１に示すように、冷蔵庫１００は、外郭を構成する筐体１００Ａを備える。筐体１００Ａは、前面に開口を有する外箱（図示せず）と、仕切壁で各貯蔵室が区画され、外箱の開口から外箱内に嵌め込まれた内箱（図示せず）と、外箱と内箱との空間に充填されたウレタン２１２または真空断熱材２１１などの断熱部材２１０（図４〜図７参照）とで構成された、断熱性を有する箱体である。冷蔵庫１００は、筐体１００Ａ内に、上段から順に、冷蔵室１、筐体１００Ａの左右方向に併設された製氷室２および切替室３、野菜室４ならびに冷凍室５を貯蔵室として備えている。
【００１７】
冷蔵室１、製氷室２および切替室３、野菜室４ならびに冷凍室５の各貯蔵室には、冷蔵庫１００の前面側にそれぞれ貯蔵室扉が設けられている。冷蔵室１の開口面には、図示しないヒンジを軸として回転方向に開閉する観音開き式扉１Ａが設けられている。観音開き式扉１Ａは、例えば、左右で幅が異なる一対の扉で形成されている。製氷室２には、引出式扉２Ａが前後に開閉自在に設けられている。同様に、切替室３には引出式扉３Ａが設けられ、野菜室４には引出式扉４Ａが設けられ、冷凍室５には引出式扉５Ａが設けられている。
【００１８】
これらの引出式扉２Ａ〜５Ａは、当該引出式扉２Ａ〜５Ａに固定して設けられた図示しないフレームを、各貯蔵室の左右の内壁面に水平に形成された図示しないレールに対してスライドさせるようになっている。これにより、引出式扉２Ａ〜５Ａは、冷蔵庫１００の奥行方向、つまり前後方向（ｙ方向）に開閉できるようになっている。
【００１９】
観音開き式扉１Ａの外側表面には、貯蔵室の保冷温度の設定および急冷設定などを行う操作部である操作パネル１０１が設けられている。なお、操作パネル１０１は、この例に限られず、例えば冷蔵室１の内壁面に配置されてもよい。
【００２０】
冷蔵庫１００は、上述した構成に限定されるものではない。例えば、冷蔵庫１００は、製氷室２および切替室３を設けないで構成してもよい。また、冷蔵庫１００は、野菜室４および冷凍室５の位置を逆に構成してもよい。
【００２１】
図２は、図１に示す線分Ａ−Ａを矢印方向から見た場合の冷蔵庫１００の内部構造図である。図２に示すように、冷蔵室１、製氷室２、切替室３、野菜室４および冷凍室５の各貯蔵室は、隣接する貯蔵室との間での熱の移動を遮断する断熱仕切り壁６によって仕切られている。
【００２２】
野菜室４には、被冷却物を内部に収納できる収納ケース４０１が引出し自在に格納されている。収納ケース４０１は、引出式扉４Ａのフレームによって支持されており、引出式扉４Ａの開閉に連動して前後方向にスライドするようになっている。同様に、切替室３および冷凍室５には、被冷却物を内部に収納できる収納ケース３０１および収納ケース５０１がそれぞれ引出し自在に格納されている。また、製氷室２には、製氷した氷を内部に収納できる収納ケース２０１が引出し自在に格納されている。なお、各貯蔵室に設けられる収納ケースの数はそれぞれ１つであってもよいが、冷蔵庫１００全体の容量を考慮して、整理性などが向上する場合には２つ以上であってもよい。
【００２３】
冷蔵室１には、食品１０を収納するための１または複数の収納棚１ａが上下方向（ｚ方向）に設けられている。収納棚１ａは、例えば透過性を有する部材で形成されている。また、観音開き式扉１Ａには、食品１０を収納するための１または複数のドアポケット１ｂが設けられている。ドアポケット１ｂは、観音開き式扉１Ａの庫内側の面に、予め決められた高さの食品１０が収納できるように設けられている。
【００２４】
なお、収納棚１ａの大きさは、食品収納量を少しでも増やすために、ドアポケット１ｂに接触しない範囲で可能な限り広く形成されている。そのため、ドアポケット１ｂと収納棚１ａとの間には、スペースがほとんどない。
【００２５】
さらに、冷蔵室１の内部には、冷蔵室１内に光を照射する照明装置７が設けられている。照明装置７は、例えば、発光源としての少なくとも１つのＬＥＤと、ＬＥＤを覆うカバーとを有している。ＬＥＤは、例えば基板に実装されている。この基板には、コネクタが取り付けられ、制御基板１２０に接続されたリード線１３０が取り付けられるのが一般的である。また、照明装置７の背面は、例えば、水分の侵入を防ぐためにシール部材で覆われる場合もある。なお、ＬＥＤを覆うカバーは、発光したＬＥＤの眩しさを軽減するために、シボ加工が施されたり、光を拡散するような形状に形成されたりすることが多い。
【００２６】
本実施の形態１において、照明装置７は、収納棚１ａよりも前面側かつ冷蔵室１の天井壁面に、下方（ｚ方向）に突出するように設けられている。
【００２７】
また、冷蔵庫１００には、複数の扉開閉検知スイッチ１０２が設けられている。複数の扉開閉検知スイッチ１０２は、観音開き式扉１Ａおよび引出式扉２Ａ〜５Ａのそれぞれに対応して設けられ、それぞれの扉の開閉を検知し、開閉状態を出力する。なお、扉の開閉を検知する部屋を限定する場合、扉開閉検知スイッチ１０２は、扉の開閉を検知する部屋だけに設けられてもよい。
【００２８】
冷蔵庫１００の背面側には、各貯蔵室を冷却するための冷却機構として、圧縮機１１１と、冷却器１１２と、送風ファン１１３と、風路１１４と、制御基板１２０とが設けられている。また、図示しないが、冷蔵庫１００の背面側には、凝縮器と、減圧装置としての毛細管とが設けられている。冷蔵庫１００では、圧縮機１１１、凝縮器、毛細管および冷却器１１２が配管等で接続され、内部を冷媒が循環することにより、冷凍サイクル装置が構成される。冷凍サイクル装置が制御基板１２０によって制御されて動作することにより、各貯蔵室に供給される冷気が生成される。
【００２９】
圧縮機１１１は、冷凍サイクル装置内を循環する冷媒を圧縮する。冷却器１１２は、冷凍サイクル装置内の冷媒を蒸発させ、蒸発時の吸熱作用によって周辺の空気を冷却する。送風ファン１１３は、冷却器１１２の近傍に配置され、冷却器１１２によって冷却された冷却空気を、冷蔵室１、製氷室２、切替室３、野菜室４および冷凍室５の各貯蔵室に送風する。風路１１４は、冷却器１１２によって冷却された冷却空気を、送風ファン１１３によって各貯蔵室に供給する経路である。
【００３０】
圧縮機１１１で圧縮された冷媒は、凝縮器で凝縮される。凝縮された冷媒は、毛細管で減圧される。減圧された冷媒は冷却器１１２において蒸発し、この蒸発時の吸熱作用により冷却器１１２周辺の空気が冷却され、冷気が生成される。
【００３１】
冷却器１１２によって生成された冷却器１１２周辺の冷気は、送風ファン１１３によって風路１１４を通った後、冷凍室５、切替室３、製氷室２および冷蔵室１へと送風され、各貯蔵室を冷却する。冷蔵室１から排出される戻り冷気は、図示しない冷蔵室用帰還風路を循環することにより野菜室４を冷却し、その後、図示しない野菜室用帰還風路を通って冷却器１１２に戻される。
【００３２】
なお、各貯蔵室の温度は、各貯蔵室に設置された図示しないサーミスタにより検知される。そして、各貯蔵室の温度は、予め設定された温度になるように、風路１１４に設置された図示しないダンパの開度、圧縮機１１１の出力および送風ファン１１３の送風量が制御基板１２０で調整されることによって制御される。
【００３３】
制御基板１２０は、冷蔵庫１００全体の動作を制御する。制御基板１２０は、マイクロコンピュータなどの演算装置上でソフトウェアを実行することにより各種機能が実現され、もしくは各種機能を実現する回路デバイスなどのハードウェア等で構成されている。
【００３４】
図３は、図２の制御基板１２０の構成の一例を示す機能ブロック図である。図３に示すように、制御基板１２０は、操作パネル１０１、サーミスタ１１６および扉開閉検知スイッチ１０２から信号が入力される。また、制御基板１２０は、圧縮機１１１、送風ファン１１３、ダンパ１１５および照明装置７に対して信号を出力する。制御基板１２０は、取得部１２１、演算部１２２、判定部１２３、駆動部１２４および記憶部１２５を備えている。
【００３５】
取得部１２１は、操作パネル１０１から操作内容に対応した操作信号、および、サーミスタ１１６および扉開閉検知スイッチ１０２が検知した信号を取得する。演算部１２２は、取得部１２１が取得した各信号に対して各種の演算処理を行う。判定部１２３は、演算部１２２の演算結果に基づき、各種判定を行う。駆動部１２４は、判定部１２３の判定結果に基づき、圧縮機１１１、送風ファン１１３、ダンパ１１５および照明装置７を駆動するように、各部に対して駆動信号を出力する。記憶部１２５は、制御基板１２０の各部で用いられる各種の情報を記憶する。
【００３６】
［照明装置７の配置］
照明装置７の配置について、図４〜図１１を参照して説明する。ここでは、冷蔵室１の上下方向（ｚ方向）に対する照明装置７の配置について、図４〜図７を用いて説明し、冷蔵室１の前後方向（ｙ方向）に対する照明装置７の配置について、図８〜図１１を用いて説明する。
【００３７】
図４は、本実施の形態１に係る照明装置７と冷蔵室１の天井壁面との関係の一例を示す概略図である。図４に示すように、照明装置７は、ネジ板２２０を介して冷蔵室１の天井壁面に取り付けられている。このとき、照明装置７は、冷蔵室１の上下方向（ｚ方向）において、一部が天井壁面に埋め込まれるようにして取り付けられる。すなわち、照明装置７は、冷蔵室１の上下方向（ｚ方向）において、少なくとも一部が天井壁面から下方に突出するように設けられる。
【００３８】
冷蔵庫１００の筐体１００Ａを構成する外箱と冷蔵室１の天井壁面との間には、上述したように断熱部材２１０が設けられている。断熱部材２１０は、例えば、真空断熱材２１１およびウレタン２１２の一方もしくは両方で構成され、冷蔵庫１００の外部からの熱の侵入を防ぐことで断熱する。この例では、断熱部材２１０は、上側に真空断熱材２１１が用いられ、下側にウレタン２１２が用いられている。この場合、断熱部材２１０は、ウレタン２１２が真空断熱材２１１と内箱との間（隙間）に流し込まれ、発泡されて隙間なく充填されることによって形成されている。
【００３９】
図５は、本実施の形態１に係る照明装置７と冷蔵室１の天井壁面との関係の他の例を示す概略図である。図５に示す例は、照明装置７における冷蔵室１の天井壁面に埋め込まれる上下方向（ｚ方向）の高さが図４の例よりも低い場合を示す。この場合、ウレタン２１２よりも断熱性能の高い真空断熱材２１１の厚みが、図４の例よりも厚くなるように、断熱部材２１０が配置されている。
【００４０】
ここで、本実施の形態１に係る照明装置７の比較例として、照明装置７の大半が冷蔵室１の天井壁面に埋め込まれるように配置される場合について考える。図６は、照明装置７と冷蔵室１の天井壁面との関係の第１の比較例を示す概略図である。図６に示す例は、照明装置７の大半が冷蔵室１の天井壁面に埋め込まれるように、照明装置７が天井壁面に取り付けられる場合を示す。
【００４１】
また、第１の比較例では、照明装置７の大半が天井壁面に埋め込まれるため、照明装置７の取付形状に沿って加工されるウレタン２１２の上下方向（ｚ方向）における厚みが厚くなる一方で、真空断熱材２１１の厚みが薄くなっている。そのため、図４に示す例と比較して、断熱性能が悪化してしまう。
【００４２】
図７は、照明装置７と冷蔵室１の天井壁面との関係の第２の比較例を示す概略図である。図７に示す例は、図６に示す第１の比較例と同様に、照明装置７の大半が冷蔵室１の天井壁面に埋め込まれるように、照明装置７が天井壁面に取り付けられる場合を示す。また、第２の比較例では、真空断熱材２１１も照明装置７の取付形状に沿って加工されている。
【００４３】
第２の比較例では、真空断熱材２１１が加工されるため、真空断熱材２１１の上下方向（ｚ方向）における厚みを、図４に示す例と略同様の厚みとすることができる。そのため、図４に示す例と同様に、断熱性能の低下を抑制することができる。
【００４４】
しかしながら、第２の比較例では、真空断熱材２１１が加工されるため、加工費が加算されることによってコストが増大し、さらに、加工工程が増えることによって製造時間も増大してしまう。また、照明装置７が取り付けられる位置では、真空断熱材２１１が照明装置７の取付形状に沿って加工されるため、真空断熱材２１１の上下方向（ｚ方向）における厚みが薄くなる。そのため、照明装置７の取付位置では、断熱性能が悪化してしまう。
【００４５】
また、図７に示す例において、ウレタン２１２は、照明装置７の取付位置付近では流れ込む流路が細くなるため、適切に流れ込まず、十分に充填できない可能性がある。この場合には、断熱性能が悪化してしまう。
【００４６】
したがって、本実施の形態１において、照明装置７は、大半を冷蔵室１の天井壁面に埋め込むように配置されるのではなく、少なくとも一部が天井壁面から下方に突出するように配置される。この場合、照明装置７の取付位置における断熱部材２１０は、図４に示すように上下方向（ｚ方向）の厚みが薄くなるものの、真空断熱材２１１を加工する必要がないため、断熱性能の低下を抑制することができる。また、図５に示すように、照明装置７の天井壁面に埋め込まれる上下方向（ｚ方向）の高さを低くすることで、ウレタン２１２より断熱性能の高い真空断熱材２１１の厚みを厚くして、断熱性能の低下を抑制することもできる。
【００４７】
なお、図４〜図７に示す例において、真空断熱材２１１とウレタン２１２との厚さの割合関係は一例であり、真空断熱材２１１をできるだけ厚くすれば断熱性能を向上させることができ、ウレタン２１２をできるだけ厚くすればコストを低減することができる。
【００４８】
図８は、照明装置７が収納棚１ａの上部に設けられた場合の、照明装置７による光の照射について説明するための概略図である。図９は、照明装置７が収納棚１ａよりも前面側に設けられた場合の、照明装置７による光の照射について説明するための概略図である。なお、図８および図９は、ユーザＵによって冷蔵室１の観音開き式扉１Ａが開かれた状態を示す。
【００４９】
図８に示す例では、照明装置７が収納棚１ａの上部に設けられ、収納棚１ａの前面側に光が照射されるようにＬＥＤの光軸Ｌが設定されている。この場合、収納棚１ａの前面側に食品１０が配置されると、照明装置７からの光が食品１０によって遮られる。そのため、照明装置７からの光が一部の食品１０の前面に照射されず、ユーザＵが観音開き式扉１Ａを開いて冷蔵室１内を見たときの冷蔵室１内の視認性が悪化する。
【００５０】
これに対して、図９に示す例では、照明装置７が収納棚１ａの前面側であり、収納棚１ａの前面側に光が照射されるようにＬＥＤの光軸Ｌが設定されている。この場合、収納棚１ａの前面側に食品１０が配置されても、食品１０によって遮られる光の量が減少する。これにより、光がすべての食品１０の前面に照射されるため、ユーザＵが観音開き式扉１Ａを開いて冷蔵室１内を見たときの視認性が向上する。
【００５１】
このように、冷蔵室１内の照明装置７の配置位置によって、冷蔵室１内の視認性が大きく異なり、照明装置７はできるだけ冷蔵室１（冷蔵庫１００）の前面側に配置した方が、食品１０の視認性向上には効果的である。そこで、本実施の形態１に係る冷蔵庫１００では、冷蔵室１内の視認性が向上するように、照明装置７が収納棚１ａよりも前面側に設けられるようにする。
【００５２】
なお、ドアポケット１ｂおよびドアポケット１ｂに収納される食品１０と、照明装置７との接触を防ぐために、ドアポケット１ｂと収納棚１ａとの間に照明装置７を配置することが考えられる。しかしながら、この場合には、収納棚１ａまたはドアポケット１ｂを小さくする必要があり、食品収納量を減らしてしまう。
【００５３】
次に、冷蔵室１の左右方向（ｘ方向）に対する照明装置７の配置について説明する。図２では、照明装置７とドアポケット１ｂに配置された食品１０とが、冷蔵庫１００の側面から投影した場合に、衝突する箇所にそれぞれ配置されているが、照明装置７と食品１０との左右方向（ｘ方向）における位置関係が判然としない。そこで、ここでは、左右方向（ｘ方向）における照明装置７と食品１０との関係について考える。
【００５４】
上述したように、冷蔵室１内において、観音開き式扉１Ａのドアポケット１ｂは、３５０ｍｌの缶などの予め決められた高さの食品１０が収納できるようになっている。照明装置７が収納棚１ａよりも前面側かつ天井壁面に設けられている場合、照明装置７の配置位置によっては、観音開き式扉１Ａが閉じられた際に、照明装置７がドアポケット１ｂに収納された食品１０と衝突する可能性がある。
【００５５】
図１０は、上面から見て照明装置７がドアポケット１ｂに重なる位置に設けられた場合の、図２の冷蔵室１を上面から見た場合の内部構造図である。図１１は、上面から見て照明装置７がドアポケット１ｂに重ならない位置に設けられた場合の、図２の冷蔵室１を上面から見た場合の内部構造図である。
【００５６】
図１０に示すように、上面から見て照明装置７がドアポケット１ｂに重なる位置に設けられた場合において、冷蔵庫１００の上面から投影すると、ドアポケット１ｂに収納された食品１０の高さによっては、照明装置７が食品１０と衝突してしまう。一方、図１１に示すように、上面から見て照明装置７がドアポケット１ｂに重ならない位置に設けられた場合、照明装置７は、観音開き式扉１Ａが開閉された際のドアポケット１ｂの移動範囲外となっている。そのため、照明装置７が食品１０と衝突することがない。
【００５７】
そこで、本実施の形態１における照明装置７は、図１１に示すように、観音開き式扉１Ａを回転方向（図１１の点線矢印方向）に開閉させた際に、ドアポケット１ｂおよびドアポケット１ｂに収納された食品１０と衝突しない位置に設けられる。すなわち、照明装置７は、観音開き式扉１Ａと共に回転するドアポケット１ｂの開閉軌跡に重ならない位置に設けられる。
【００５８】
［照明装置７による光の照射角度］
次に、照明装置７による光の照射角度について説明する。本実施の形態１に係る照明装置７は、左右方向であるｘ軸回り、前後方向であるｙ軸回り、および、上下方向であるｚ軸回りに予め設定された角度でＬＥＤの光軸Ｌが傾斜するように設置される。
【００５９】
一般的に、冷蔵庫１００における照明装置７のＬＥＤには、表面実装型ＬＥＤが使われている。この場合、ＬＥＤの指向角θは１２０°程度のものが多く、庫内を広範囲で明るく照らすことができる。さらに、照明装置７の角度が予め設定されることにより、照明装置７は、庫内の様々な場所に配置した食品１０を照らすことができ、また、庫内を隅々まで照らすことができる。
【００６０】
（光軸Ｌのｘ軸回りの傾斜角度）
図１２は、照明装置７におけるＬＥＤの光軸Ｌのｘ軸回りの傾斜角度について説明するための概略図である。図１２は、冷蔵室１を側面側から見た場合であって、冷蔵室１の観音開き式扉１Ａが開かれた状態を示す。図１２に示すように、照明装置７は、鉛直方向（ｚ方向）を基準として、ｘ軸回りに角度αだけ冷蔵室１の背面壁側（ｙ方向）にＬＥＤの光軸Ｌが傾斜するように設けられている。このときの角度αは、０〜９０°とすると好ましい。
【００６１】
（光軸Ｌのｚ軸回りの傾斜角度）
図１３は、照明装置７におけるＬＥＤの光軸Ｌのｚ軸回りの傾斜角度について説明するための概略図である。図１３は、冷蔵室１を上面側から見た場合であって、冷蔵室１の観音開き式扉１Ａが開かれた状態を示す。図１３に示すように、照明装置７は、前後方向（ｙ方向）を基準として、ｚ軸回りに角度βだけ左右方向（ｘ方向）にＬＥＤの光軸Ｌが傾斜するように設けられている。
【００６２】
（光軸Ｌのｙ軸回りの傾斜角度）
図１４は、照明装置７におけるＬＥＤの光軸Ｌのｙ軸回りの傾斜角度について説明するための概略図である。図１４は、冷蔵室１を正面側から見た場合であって、冷蔵室１の観音開き式扉１Ａが開かれた状態を示す。図１４に示すように、照明装置７は、鉛直方向（ｚ方向）を基準として、ｙ軸回りに角度γだけ左右方向（ｘ方向）にＬＥＤの光軸Ｌが傾斜するように設けられている。
【００６３】
このように、ＬＥＤの光軸Ｌの角度α、βおよびγを設定した場合、ＬＥＤの光軸Ｌが庫内の中心方向に向けられるため、照明装置７は、冷蔵室１内の前面側かつ正面から見て中心方向から食品１０の前面を全体的に照らすことができる。これにより、冷蔵室１内に収納された食品１０の視認性を向上させることができる。また、冷蔵室１内の側面壁および背面壁に光が照射されるため、冷蔵室１内が明るく見え、清潔感を向上させることができる。さらに、ＬＥＤの光軸Ｌが背面壁側に向けられているため、ユーザが観音開き式扉１Ａを開いて冷蔵室１内を見た場合に、ＬＥＤの光軸Ｌがユーザの視線に入りにくくなる。そのため、ユーザに対する眩しさを軽減することができる。
【００６４】
なお、ＬＥＤの光軸Ｌのｚ軸回りおよびｙ軸回りのそれぞれの傾斜角度βおよびγは、観音開き式扉１Ａの一対の扉における左右方向（ｘ方向）の幅が異なる場合に設定すると好ましい。観音開き式扉１Ａの一対の扉における左右方向（ｘ方向）の幅が異なる場合、照明装置７は、観音開き式扉１Ａの一対の扉の幅が異なることによって、正面側から見て中心からずれた位置に設置されることになる。この場合にＬＥＤの光軸Ｌの角度βおよびγを設定することにより、ＬＥＤの光軸Ｌが中心方向に向くため、冷蔵室１内を全体的に照らすことができる。そして、冷蔵室１内をより均一に照らすことができるため、冷蔵室１内に収納された食品１０の視認性を向上させることができる。
【００６５】
以上のように、本実施の形態１に係る冷蔵庫１００において、照明装置７は、観音開き式扉１Ａを開閉した際に、観音開き式扉１Ａと共に回転するドアポケット１ｂの移動範囲外に配置される。これにより、照明装置７と、ドアポケット１ｂおよびドアポケット１ｂに収納された食品１０との衝突が防止される。そのため、予め決められた高さの食品１０をドアポケット１ｂへ収納できるので、ドアポケット１ｂに収納される食品１０に対する制限を設ける必要がない。そして、照明装置７は、収納棚１ａの上部でもなく、ドアポケット１ｂの移動範囲内でもない、食品１０を配置することができない箇所に配置されている。そのため、冷蔵室１内における食品１０の収納量を減らすことなく照明装置７を配置することができる。
【００６６】
また、照明装置７は、図６および図７のように大半を冷蔵室１の壁面に埋め込むようにして配置されるものではなく、図４および図５のように壁面に取り付けられるものである。これにより、照明装置７は、冷蔵庫１００の筐体１００Ａを構成する断熱部材２１０を減らすことなく配置されるため、冷蔵庫１００の断熱性の悪化を抑制しながら、冷蔵室１内の視認性を向上させることができる。
【００６７】
さらに、従来の冷蔵庫からの設計変更の際には、照明装置７の配置位置を変更するだけであり、配置位置の変更に伴う追加の部品および作業工程が発生しない。そのため、コストの上昇を抑制しながら、上記の効果を得ることができる。
【００６８】
本実施の形態１に係る冷蔵庫１００において、冷蔵庫上面から投影した場合に、照明装置７は、収納棚１ａよりも前面側に配置されるとともに、収納棚１ａに収納された食品１０に対して光を照射するようにＬＥＤの光軸Ｌが設定されている。これにより収納棚１ａに食品１０が収納されている状態であっても、収納棚１ａの前面に対して全体的に光が照射される。そのため、冷蔵室１内の視認性を向上させることができる。
【００６９】
本実施の形態１に係る冷蔵庫１００において、照明装置７は、左右方向を示す軸回りにＬＥＤの光軸Ｌが傾斜するように配置されている。また、照明装置７は、上下方向を示す軸回りにＬＥＤの光軸Ｌが傾斜するように配置されている。さらに、照明装置７は、前後方向を示す軸回りにＬＥＤの光軸Ｌが傾斜するように配置されている。
【００７０】
これにより、照明装置７は、冷蔵室１内の前面側かつ正面から見て中心方向から食品１０の前面を全体的に照らすことができる。そのため、冷蔵室１内に収納された食品１０の視認性を向上させることができる。また、冷蔵室１内の側面壁および背面壁に光が照射されるため、冷蔵室１内が明るく見え、清潔感を向上させることができる。さらに、ＬＥＤの光軸Ｌが背面壁側に向けられているため、ユーザが観音開き式扉１Ａを開いて冷蔵室１内を見た場合に、ＬＥＤの光軸Ｌがユーザの視線に入りにくくなり、ユーザに対する眩しさを軽減することができる。
【００７１】
実施の形態２．
次に、本実施の形態２について説明する。本実施の形態２では、観音開き式扉１Ａに設けられた回転仕切体の回転方向を誘導するガイドピンを利用して、照明装置７を配置する場合について説明する。なお、本実施の形態２において、実施の形態１と共通する部分には同一の符号を付し、詳細な説明を省略する。
【００７２】
図１５は、本実施の形態２に係る冷蔵庫１００を側面側から見た場合の冷蔵室１の内部構造図である。図１５は、冷蔵室１の観音開き式扉１Ａが開かれた状態を示す。一般に、冷蔵庫１００の冷蔵室１に観音開き式扉１Ａが設けられている場合、観音開き式扉１Ａを構成する一対の扉の一方には、観音開き式扉１Ａが閉じられた際に形成される一対の扉の間の隙間を閉塞するための図示しない回転仕切体１ｃ（図１１参照）が設けられている。また、図１５に示すように、冷蔵室１側には、回転仕切体１ｃに対応するようにガイドピン２０が設けられている。
【００７３】
ガイドピン２０は、観音開き式扉１Ａに設けられた回転仕切体１ｃの回転方向を誘導するために設けられている。ガイドピン２０は、天井壁面の、観音開き式扉１Ａと対向する位置に設けられている。なお、ガイドピン２０は、これに限られず、冷蔵室１の床面に設けられてもよい。
【００７４】
図１６は、図１５の照明装置７およびガイドピン２０の一例を示す概略図である。図１６に示すように、本実施の形態２において、ガイドピン２０は、天井壁面に配置された照明装置７よりも冷蔵庫前面側に設けられている。すなわち、照明装置７は、ガイドピン２０よりも冷蔵庫背面側に設けられる。また、ガイドピン２０の冷蔵庫背面側を形成する背面部２０ａは、正面から見た際に、照明装置７の高さよりも高く形成されている。
【００７５】
このようにして照明装置７が配置された場合、図１５に示すように、ユーザＵが観音開き式扉１Ａを開けて冷蔵室１内を正面から見た場合、照明装置７は、ガイドピン２０によってユーザＵの視界に入らず、ユーザＵに認識させないように配置される。また、照明装置７から照射される光により、冷蔵室１内は明るくなる一方で、ユーザＵに対して照明装置７から直接照射される光がガイドピン２０の背面によって遮られる。そのため、ユーザＵが照明装置７からの直接光によって感じる不快な眩しさを抑制することができる。また、上記のようにして照明装置７から光が照射される場合には、冷蔵室１内全体が明るくなるため、冷蔵室１内の明るさの均整度を高めることができ、視認性および清潔感をより向上させることができる。
【００７６】
また、照明装置７はユーザＵから認識されないため、ユーザＵからは、冷蔵室１内が相対的に明るく見える。さらに、照明装置７がユーザＵから認識されないことにより、照明装置７は、間接照明としての役割を果たし、冷蔵庫１００の意匠性を高めることができる。さらにまた、ガイドピン２０は、観音開き式扉１Ａを備える従来の冷蔵庫に設けられているものであるため、従来の冷蔵庫から本実施の形態２に係る冷蔵庫１００へ設計変更する際には、部品点数が増加することなく、安価に冷蔵庫の設計変更を行うことができる。
【００７７】
なお、図１５および図１６に示す例では、照明装置７とガイドピン２０とが別体で形成された場合について説明したが、これに限られず、例えば照明装置７とガイドピン２０とが一体的に形成されてもよい。
【００７８】
図１７は、図１５の照明装置７およびガイドピン２０の他の例を示す概略図である。図１７に示すように、照明装置７は、ガイドピン２０の背面部２０ａを当該装置のカバー部の前面部として用いて接続されている。
【００７９】
図１８は、図１６のガイドピン２０の他の例を示す概略図である。図１９は、図１７のガイドピン２０の他の例を示す概略図である。本実施の形態２では、図１８および図１９に示すように、冷蔵庫上面から投影した場合に、ガイドピン２０の冷蔵庫背面側を形成する背面部２０ａが、照明装置７の一部と重なるように冷蔵庫背面側に延びて形成されてもよい。この場合、照明装置７は、ユーザＵに対してより認識し難くさせることができる。
【００８０】
このように、照明装置７とガイドピン２０とを一体的に形成することにより、部品点数を削減できるとともに、一体的に形成された照明装置７とガイドピン２０とを一度に組み付けることができるため、冷蔵庫１００の製造工程を削減することができる。したがって、冷蔵庫１００を安価かつ短時間で製造することができる。
【００８１】
また、照明装置７およびガイドピン２０を取り付ける際に、それぞれをネジを用いて冷蔵室１内に取り付ける必要がなくなるため、ネジ止め点数を削減することができる。そのため、ネジ止めに必要な作業時間および使用するネジの個数による価格を低減することができる。そして、これによっても、冷蔵庫１００をより安価かつ短時間で製造することができる。
【００８２】
さらに、照明装置７のカバー部の一部がガイドピン２０によって代用されることにより、カバーを小型化することができるため、照明装置７を安価に製造することができる。さらにまた、照明装置７とガイドピン２０とが一体的に形成されるため、図１５および図１６に示す例と比較して、ユーザＵは、照明装置７をより認識し難くなる。そのため、照明装置７の間接照明としての役割をより高めることができ、意匠性をさらに向上させることができる。
【００８３】
以上のように、本実施の形態２に係る冷蔵庫１００において、照明装置７は、ガイドピン２０の背面側に配置されている。このとき、ガイドピン２０は、背面部２０ａの高さが照明装置７の高さよりも高く形成されると好ましい。これにより、照明装置７は、ユーザＵに認識させないように配置されるため、ユーザＵが感じる不快な眩しさを抑制することができるとともに、冷蔵室１内を相対的に明るく見せることができる。
【００８４】
また、本実施の形態２に係る冷蔵庫１００において、照明装置７とガイドピン２０とが一体的に形成されている。これにより、製造工程および製造コスト等が削減されるため、冷蔵庫１００を安価かつ短時間で製造することができる。
【００８５】
なお、ガイドピン２０が冷蔵室１の床面に設けられている場合、照明装置７も床面に設けられてもよい。この場合にも、照明装置７は、ガイドピン２０の背面側に配置される。このとき、ガイドピン２０の冷蔵庫背面側を形成する背面部２０ａが、正面から見た際に、照明装置７の高さよりも高く形成されていると、ユーザＵが照明装置７からの直接光によって感じる不快な眩しさを抑制することができる。
【００８６】
以上、冷蔵庫１００の実施の形態１および２について説明したが、冷蔵庫１００は、上述した実施の形態１および２に限定されるものではなく、要旨を逸脱しない範囲内で様々な変形や応用が可能である。実施の形態１および２では、貯蔵室である冷蔵室１の貯蔵室扉として、一対の扉で構成された観音開き式扉１Ａが設けられている場合を例にとって説明したが、これはこの例に限られない。例えば、貯蔵室扉は、１つの扉で構成された片開き式扉が用いられてもよい。
【００８７】
図２０は、片開き式扉１Ｂが設けられた冷蔵室１を上面から見た場合の内部構造図である。図２０に示すように、冷蔵室１の開口面には、図示しないヒンジを軸として回転方向に開閉する１つの扉で形成された片開き式扉１Ｂが設けられている。片開き式扉１Ｂには、観音開き式扉１Ａと同様に、１または複数のドアポケット１ｂが設けられている。
【００８８】
この場合においても、実施の形態１および２と同様に、照明装置７は、片開き式扉１Ｂを回転方向（図２０の点線矢印方向）に開閉させた際に、ドアポケット１ｂおよびドアポケット１ｂに収納された食品１０と衝突しない位置に設ければよい。すなわち、照明装置７は、片開き式扉１Ｂと連動するドアポケット１ｂの移動範囲外となる位置に設ければよい。
【００８９】
図２１は、片開き式扉１Ｂが設けられた冷蔵室１の他の例を上面から見た場合の内部構造図である。上述した図２０では、片開き式扉１Ｂの冷蔵室１側の面に１つのドアポケット１ｂが設けられた場合を示したが、図２１では、ドアポケット１ｂが分割されている。すなわち、この例では、片開き式扉１Ｂの冷蔵室１側の面に複数のドアポケット１ｂが設けられている。このように、片開き式扉１Ｂに複数のドアポケット１ｂが設けられた場合であっても、照明装置７は、図２０に示す例と同様に、片開き式扉１Ｂと連動するドアポケット１ｂの移動範囲外となる位置に設けられればよい。
【００９０】
図２２は、片開き式扉１Ｂが設けられた冷蔵室１のさらに他の例を上面から見た場合の内部構造図である。図２２は、片開き式扉１Ｂが左側に開く場合の例を示す。図２０および図２１では、冷蔵庫１００を正面から見て、片開き式扉１Ｂが右側に開くように設けられた場合を示すが、これに限られず、図２２に示すように、片開き式扉１Ｂは、左側に開くように設けられてもよい。
【００９１】
なお、実施の形態２のように、照明装置７がユーザＵに認識されないようにする場合には、実施の形態２のガイドピン２０に代わる部品を、照明装置７の前面側に配置すればよい。このとき、照明装置７の前面側に配置される部品の高さは、照明装置７の高さよりも高くなるようにすると好ましい。
【００９２】
また、実施の形態２において、照明装置７は、できるだけ冷蔵庫１００前面側に配置した方が食品１０の視認性向上に効果的であると説明したが、ガイドピン２０が冷蔵庫１００に設けられている場合には、ガイドピン２０にできるだけ近づけて配置すればよい。もしくは、照明装置７は、上述したように、ガイドピン２０と一体的に形成されてもよい。さらに、片開き式扉１Ｂが設けられた冷蔵庫１００のように、ガイドピン２０を使用しない機種では、照明装置７は、片開き式扉１Ｂと接触しない程度で、できるだけ前面側に配置されてもよい。
【００９３】
また、実施の形態１および２では、照明装置７の発光源としてＬＥＤを用いた場合について説明したが、これに限られず、白熱電球等の他の発光部品を発光源として用いてもよい。例えば、照明装置７の発光源として白熱電球を用いた場合、ＬＥＤを用いた場合と比較して、発光部品のコストを低減することができるため、照明装置７全体のコストを低減することができる。
【００９４】
照明装置７の発光源としてのＬＥＤは、１個に限られず、複数個であってもよい。ＬＥＤを複数個用いることにより、冷蔵室１内に照射される光のムラを抑制することができる。また、ＬＥＤを複数個用いる場合において、ＬＥＤの個数を増加させることにより、光のムラをさらに抑制することができる。一方、ＬＥＤの個数を減少させることにより、発光部品のコストを低減することができるため、照明装置７全体のコストを低減することができる。
【００９５】
照明装置７において、ＬＥＤが実装されている基板の枚数は、１枚に限られず、例えば複数枚であってもよい。この場合、複数の基板のそれぞれに対してＬＥＤが実装され、各基板ごとにＬＥＤの光軸Ｌを異ならせることで、冷蔵室１内をより広範囲に照らすことができるため、庫内の明るさが均一になり、庫内の視認性を向上することができる。
【００９６】
照明装置７における幅方向（ｘ方向）の大きさは、意匠性を考慮すると、ガイドピン２０の幅と同程度とすると好ましい。ただし、照明装置７における幅方向（ｘ方向）の大きさがより大きいほど、照明装置７にＬＥＤをより多く搭載することができる。この場合、庫内を明るくすることができるため、収納された食品１０の視認性を向上させることができる。さらに、ＬＥＤをより多く搭載した場合、照明装置７は、カバーによる光の拡散を容易に行うことができるため、冷蔵室１内を広範囲に明るく照らすことができる。
【００９７】
また、照明装置７は、天井壁面に配置される場合に限られず、例えば、床壁面または側壁面に配置されてもよい。さらに、照明装置７は、冷蔵室１に配置される場合に限られず、冷凍室５等の他の貯蔵室に配置されてもよい。
【００９８】
さらに、照明装置７による光の照射角度は、予め設定される場合に限られず、例えばユーザＵによって任意に変更できるようにしてもよい。これにより、冷蔵室１内への食品１０の収納状態に応じて、光の照射状態を適切に設定することができる。
【００９９】
また、実施の形態１および２では、冷蔵室１を上面から見た場合に、照明装置７の前後方向（ｙ方向）が収納棚１ａと重ならない場合について説明したが、これに限られない。例えば、照明装置７は、収納棚１ａと重なるまで前後方向（ｙ方向）に延びるように形成されてもよい。
【０１００】
図２３は、冷蔵室１を上面から見た場合の一例を示す内部構造図である。図２３に示すように、照明装置７は、冷蔵室１を上面から見た場合に、前後方向（ｙ方向）において、収納棚１ａと重なるように形成されている。このように、照明装置７が前後方向（ｙ方向）において収納棚１ａと重なることにより、収納棚１ａが明るく照らされるため、収納棚１ａに収納されている食品１０の視認性を向上させることができる。
【０１０１】
図２４は、図２３の照明装置７と収納棚１ａとの配置関係について説明するための第１の例を示す概略図である。図２５は、図２３の照明装置７と収納棚１ａとの配置関係について説明するための第２の例を示す概略図である。図２６は、図２３の照明装置７と収納棚１ａとの配置関係について説明するための第３の例を示す概略図である。
【０１０２】
図２４の第１の例において、冷蔵室１を上面から見た場合に、照明装置７は、前後方向（ｙ方向）の収納棚１ａと重なる第１部分７ａが冷蔵室１の天井壁面から下方（ｚ方向）に突出するように設けられている。この場合、収納棚１ａにおける高さ方向（ｚ方向）の収納スペースの一部が照明装置７によって占有されるため、収納スペースが減ってしまう。したがって、照明装置７が配置される冷蔵室１の幅方向（ｙ方向）の中央部分においては、食品１０を収納棚１ａに収納した際に、照明装置７と食品１０とが接触する可能性がある。
【０１０３】
一方、図２５の第２の例において、冷蔵室１を上面から見た場合に、照明装置７は、前後方向（ｙ方向）の収納棚１ａと重なる第１部分７ａの少なくとも一部が冷蔵室１の天井壁面に埋め込まれるように設けられている。この場合、収納棚１ａにおける高さ方向（ｚ方向）の収納スペースの一部が照明装置７によって占有されることがない。そのため、第２の例では、食品１０の収納性を向上させつつ、収納棚１ａに収納されている食品１０の視認性を向上させることができる。なお、「第１部分７ａの少なくとも一部が天井壁面に埋め込まれる」とは、第１部分７ａの大半が天井壁面に埋め込まれることを含む。また、第１部分７ａの天井壁面に埋め込まれる高さは、例えば半分以上、または２／３以上など、照明装置７と収納棚１ａとの配置関係および照明装置７の寸法等を考慮して適宜決定することができる。
【０１０４】
図２６の第３の例において、冷蔵室１を上面から見た場合に、照明装置７は、第２の例と同様に、前後方向（ｙ方向）の収納棚１ａと重なる第１部分７ａの少なくとも一部が冷蔵室１の天井壁面に埋め込まれるように設けられている。また、第３の例において、照明装置７は、第１部分７ａよりも冷蔵庫前面側の第２部分７ｂが奥に向かうに従って天井壁面に近づくように傾斜して形成されている。これにより、照明装置７における冷蔵庫前面側の突出領域が第１の例および第２の例よりも少なくなるため、収納棚１ａへの食品１０の収納性をさらに向上させることができる。なお、「第１部分７ａの少なくとも一部が天井壁面に埋め込まれる」とは、図２５に示す例と同様に、第１部分７ａの大半が天井壁面に埋め込まれることを含む。また、第１部分７ａの天井壁面に埋め込まれる高さは、例えば半分以上、または２／３以上など、照明装置７と収納棚１ａとの配置関係および照明装置７の寸法等を考慮して適宜決定することができる。
【０１０５】
なお、第１〜第３の例で説明したことは、照明装置７が床面に設けられている場合も同様である。すなわち、照明装置７が床面に設けられているときであって、冷蔵室１を上面から見た場合に、照明装置７は、前後方向（ｙ方向）の収納棚１ａと重なる第１部分７ａが冷蔵室１の床面に埋め込まれるように設けられている。
【０１０６】
さらに、実施の形態１および２では、照明装置７が冷蔵室１の天井壁面に下方（ｚ方向）に突出するように設けられた場合について説明したが、これに限られない。例えば、照明装置７は、カバーのみが下方に突出するように設けられてもよい。
【０１０７】
図２７は、照明装置７の一例を示す概略図である。図２７に示すように、照明装置７は、上下方向（ｚ方向）において、冷蔵室１の天井壁面からカバーの下面部のみが突出し、ＬＥＤが天井壁面よりも上方に位置するように設けられている。このように照明装置７が設けられた場合でも、ＬＥＤからの光が収納棚１ａの前面側に照射されるため、冷蔵室１内の視認性を向上させることができる。
【０１０８】
実施の形態１および２では、照明装置７におけるＬＥＤの光軸Ｌが冷蔵室１内の中心方向に向けられる場合について説明したが、これに限られず、例えばＬＥＤの光軸Ｌは、冷蔵室１の床面に向けられてもよい。これにより、ユーザの手元が明るく照らされるため、食品１０の投入時および取り出し時にユーザの視認性を向上させることができる。
【０１０９】
照明装置７は、点灯または消灯のみが制御されるだけでなく、例えば点灯時の明るさが制御されてもよい。図２８は、照明装置７の明るさについて説明するための概略図である。図２８に示す信号は、照明装置７を点灯させる際の、制御基板１２０から照明装置７に対して供給される１周期分の点灯制御信号を示している。照明装置７は、通常、数ｋＨｚ程度の短い周期で点灯および消灯を繰り返している。このとき、ユーザは、目の錯覚によって照明装置７が点滅しているようには見えず、連続的に点灯しているように見える。
【０１１０】
このように照明装置７の点灯を制御している場合、照明装置７では、１周期中の点灯時間の比率であるデューティ比（＝点灯時間／周期）に応じて、照明光の照度が決定される。ここで、周期は点灯時間と消灯時間とを加算した値となる。すなわち、照明装置７からの照明光の照度は、１周期あたりの点灯時間と消灯時間との比率によって決定される。
【０１１１】
図２９は、点灯制御信号のデューティ比と照度との関係の一例を示すグラフである。図２９において、横軸は点灯制御信号のデューティ比を示し、縦軸はデューティ比が「１」である場合の照度を基準とした場合の相対値を示す。図２９に示すように、照明装置７の照度は、デューティ比が高くなるに従って増加し、デューティ比が低くなるに従って減少する。すなわち、照明装置７の照度は、１周期あたりの点灯時間を長くすると増加し、１周期あたりの点灯時間を短くすると減少する。
【０１１２】
図３０は、デューティ比が５０％である場合の点灯制御信号の一例を示すグラフである。図３１は、デューティ比が７５％である場合の点灯制御信号の一例を示すグラフである。図３０に示すように、デューティ比が５０％である場合、照明装置７のＬＥＤの点灯時間と消灯時間との比は、「１：１」となる。また、図３１に示すように、デューティ比が７５％である場合、照明装置７のＬＥＤの点灯時間と消灯時間との比は、「３：１」となる。
【０１１３】
このように、デューティ比が７５％の場合は、デューティ比が５０％の場合と比較して１周期あたりの点灯時間が長いため、照明装置７の照度は、デューティが７５％の場合の方が高くなる。したがって、照明装置７の照度を明るくしたい場合には、ＬＥＤの点灯制御信号のデューティ比を大きくし、照度を暗くしたい場合には、点灯制御信号のデューティ比を小さくする。このとき、デューティ比が変更されていても、ＬＥＤに流れる電流は一定とする。
【０１１４】
なお、照明装置７の照度の変更は、上述した例に限られない。例えば、照明装置７の照度は、照明装置７のＬＥＤに供給される電流値を変更することによって変更されてもよい。具体的には、ＬＥＤに対して電流を供給する回路に対して抵抗値の異なる複数の抵抗が設けられる。そして、設定された照度に応じて電流が流れる抵抗が切り替えられる。このとき、点灯制御信号のデューティ比は一定とする。
【符号の説明】
【０１１５】
１  冷蔵室、１Ａ  観音開き式扉、１Ｂ  片開き式扉、１ａ  収納棚、１ｂ  ドアポケット、１ｃ  回転仕切体、２  製氷室、２Ａ、３Ａ、４Ａ、５Ａ  引出式扉、３  切替室、４  野菜室、５  冷凍室、６  断熱仕切り壁、７  照明装置、７ａ  第１部分、７ｂ  第２部分、１０  食品、２０  ガイドピン、２０ａ  背面部、１００  冷蔵庫、１００Ａ  筐体、１０１  操作パネル、１０２  扉開閉検知スイッチ、１１１  圧縮機、１１２  冷却器、１１３  送風ファン、１１４  風路、１１５  ダンパ、１１６  サーミスタ、１２０  制御基板、１２１  取得部、１２２  演算部、１２３  判定部、１２４  駆動部、１２５  記憶部、１３０  リード線、２１０  断熱部材、２１１  真空断熱材、２１２  ウレタン、２２０  ネジ板、３０１、４０１、５０１  収納ケース。
【図１】
2020196467.tif 000003
【図２】
2020196467.tif 000004
【図３】
2020196467.tif 000005
【図４】
2020196467.tif 000006
【図５】
2020196467.tif 000007
【図６】
2020196467.tif 000008
【図７】
2020196467.tif 000009
【図８】
2020196467.tif 000010
【図９】
2020196467.tif 000011
【図１０】
2020196467.tif 000012
【図１１】
2020196467.tif 000013
【図１２】
2020196467.tif 000014
【図１３】
2020196467.tif 000015
【図１４】
2020196467.tif 000016
【図１５】
2020196467.tif 000017
【図１６】
2020196467.tif 000018
【図１７】
2020196467.tif 000019
【図１８】
2020196467.tif 000020
【図１９】
2020196467.tif 000021
【図２０】
2020196467.tif 000022
【図２１】
2020196467.tif 000023
【図２２】
2020196467.tif 000024
【図２３】
2020196467.tif 000025
【図２４】
2020196467.tif 000026
【図２５】
2020196467.tif 000027
【図２６】
2020196467.tif 000028
【図２７】
2020196467.tif 000029
【図２８】
2020196467.tif 000030
【図２９】
2020196467.tif 000031
【図３０】
2020196467.tif 000032
【図３１】
2020196467.tif 000033
【国際調査報告】
2020196467.tif 000034
2020196467.tif 000035
2020196467.tif 000036
2020196467.tif 000037
2020196467.tif 000038
2020196467.tif 000039